(57)【要約】  本発明に係る空気調和機の室内機は、冷媒が流れる冷媒配管を有する室内熱交換器と、前記冷媒配管に設けられた温度センサと、前記室内熱交換器に空気を吹き出すファンと、前記温度センサと前記ファンとの間に設けられ、前記ファンから前記温度センサに向かって吹き出される空気の流れを遮る遮蔽板と、を備え、前記遮蔽板は、第１側縁部と該第１側縁部の反対側の側縁部である第２側縁部とを有する板状の本体部を備え、前記第１側縁部には、前記第２側縁部に向かって凹むＶ字状の切り欠きが形成されており、前記本体部は、前記第１側縁部の前記切り欠きと前記第２側縁部との間に、前記温度センサに接続された配線を固定するクランプを備えている。
2020095342.tif 000002
【特許請求の範囲】
【請求項１】
冷媒が流れる冷媒配管を有する室内熱交換器と、
前記冷媒配管に設けられた温度センサと、
前記室内熱交換器に空気を吹き出すファンと、
前記温度センサと前記ファンとの間に設けられ、前記ファンから前記温度センサに向かって吹き出される空気の流れを遮る遮蔽板と、
を備え、
前記遮蔽板は、第１側縁部と該第１側縁部の反対側の側縁部である第２側縁部とを有する板状の本体部を備え、
前記第１側縁部には、前記第２側縁部に向かって凹むＶ字状の切り欠きが形成されており、
前記本体部は、前記第１側縁部の前記切り欠きと前記第２側縁部との間に、前記温度センサに接続された配線を固定するクランプを備えている
空気調和機の室内機。
【請求項２】
前記切り欠きの縁に密着曲げ加工が施されている
請求項１に記載の空気調和機の室内機。
【請求項３】
前記第１側縁部が延びる方向において、
前記クランプの前記配線を固定する部分である固定部は、前記切り欠きの幅の中に配置されている
請求項１又は請求項２に記載の空気調和機の室内機。
【請求項４】
前記遮蔽板が取り付けられる被取付部材を備え、
前記遮蔽板は、前記第１側縁部から突出し、前記被取付部材に取り付けられる足部を備え、
前記第１側縁部と前記足部との間に形成される隙間は、前記配線の直径よりも小さい
請求項１〜請求項３のいずれか一項に記載の空気調和機の室内機。
【発明の詳細な説明】
【技術分野】
【０００１】
本発明は、室内熱交換器の冷媒配管に温度センサが設けられている空気調和機の室内機に関する。
【背景技術】
【０００２】
従来、空気調和機の室内機には、室内熱交換器の冷媒配管に温度センサが設けられたものが存在する。この温度センサが検出する冷媒配管の温度は、冷媒配管に流れる冷媒の温度として、空気調和機の冷凍サイクル回路の制御等に用いられる。このような室内熱交換器の冷媒配管に温度センサが設けられている室内機においては、ファンが吹き出す空気が温度センサに当たる位置に、温度センサが設けられる場合がある。このような場合、温度センサとファンとの間には、ファンから温度センサに向かって吹き出される空気の流れを遮る遮蔽板が設けられる。【０００３】
室内熱交換器の冷媒配管に設けられている温度センサに接続されている配線は、室内機内を引き回され、制御装置に接続される。この際、温度センサに接続されている配線は、遮蔽板を跨ぐように引き回される場合がある。このような場合、温度センサに接続されている配線の途中部は、遮蔽板に固定される。【０００４】
具体的には、温度センサに接続されている配線の途中部は、例えば特許文献１に記載の配線固定部品を用いて、遮蔽板に固定される。特許文献１に記載の配線固定部品は、凹部であるケーブル収納箇所を備えている。ケーブル収納箇所の一端には、ケーブル押え部が設けられている。また、ケーブル収納箇所には、凹部の内部となる位置に、配線を固定するための引掛け部及び突起が設けられている。また、特許文献１に記載の配線固定部品は、例えば遮蔽板等の被取付部材に該配線固定部材を固定する際に用いられる爪部を備えている。【０００５】
すなわち、特許文献１に記載の配線固定部品を用いて、温度センサに接続されている配線の途中部を遮蔽板に固定する場合、次のような手順となる。まず、引掛け部及び突起で、温度センサに接続されている配線の途中部を配線固定部品の内部に固定する。そして、配線固定部品の爪部を遮蔽板の孔に挿入し、配線固定部品を遮蔽板に固定する。これにより、温度センサに接続されている配線の途中部は、遮蔽板に固定される。このように、特許文献１に記載の配線固定部品を用いて、温度センサに接続されている配線の途中部を遮蔽板に固定した場合、配線固定部品に固定されている配線部分は、配線固定部品に隠れて見えなくなる。
【先行技術文献】
【特許文献】
【０００６】
【特許文献１】実開昭６２−１３１４８１号公報
【発明の概要】
【発明が解決しようとする課題】
【０００７】
上述のように、従来の空気調和機の室内機においては、配線固定部品が遮蔽板に固定された際、配線固定部品に固定されている配線部分は、配線固定部品に隠れて見えなくなる。このため、従来の空気調和機の室内機においては、配線固定部品が遮蔽板に固定された際、温度センサに接続されている配線の途中部が配線固定部品から外れているか否かを確認することが難しい。また、従来の空気調和機の室内機では、配線固定部品が遮蔽板に固定された状態において、温度センサに接続されている配線の途中部が配線固定部品から外れていることを見つけた場合、配線固定部品を遮蔽板から取り外し、配線固定部品に配線を固定し直した後に、配線固定部品を遮蔽板に再度取り付ける必要がある。このように、従来の空気調和機の室内機は、温度センサに接続されている配線の途中部を遮蔽板に固定する際の配線の引き回し作業が難しいという課題があった。【０００８】
本発明は、上述の課題を解決するためになされたものであり、温度センサに接続されている配線の途中部を遮蔽板に固定する際の配線の引き回し作業を従来よりも容易に行うことが可能な空気調和機の室内機を提供することを目的とする。
【課題を解決するための手段】
【０００９】
本発明に係る空気調和機の室内機は、冷媒が流れる冷媒配管を有する室内熱交換器と、前記冷媒配管に設けられた温度センサと、前記室内熱交換器に空気を吹き出すファンと、前記温度センサと前記ファンとの間に設けられ、前記ファンから前記温度センサに向かって吹き出される空気の流れを遮る遮蔽板と、を備え、前記遮蔽板は、第１側縁部と該第１側縁部の反対側の側縁部である第２側縁部とを有する板状の本体部を備え、前記第１側縁部には、前記第２側縁部に向かって凹むＶ字状の切り欠きが形成されており、前記本体部は、前記第１側縁部の前記切り欠きと前記第２側縁部との間に、前記温度センサに接続された配線を固定するクランプを備えている。
【発明の効果】
【００１０】
本発明に係る空気調和機の室内機においては、温度センサに接続されている配線を第１側縁部のＶ字状の切り欠きの縁に引っ掛け、該配線を第２側縁部に向かって引っ張る。これにより、温度センサに接続されている配線は、切り欠きの縁に沿ってＶ字形状の谷の方へ移動し、クランプの位置へ誘導される。このため、本発明に係る空気調和機の室内機は、温度センサに接続されている配線の途中部をクランプに容易に固定することができ、温度センサに接続されている配線の途中部を遮蔽板に固定する際の配線の引き回し作業を従来よりも容易に行うことができる。
【図面の簡単な説明】
【００１１】
【図１】本発明の実施の形態に係る室内機を備えた空気調和機の一例を示す冷媒回路図である。
【図２】本発明の実施の形態に係る空気調和機の室内機を下方から見た斜視図である。
【図３】本発明の実施の形態に係る空気調和機の室内機の縦断面図である。
【図４】本発明の実施の形態に係る空気調和機の室内機の内部を該室内機の下方から見た斜視図である。
【図５】本発明の実施の形態に係る室内機の遮蔽板周辺をファン側から見た斜視図であり、当該遮蔽板周辺を下方から見た図である。
【図６】本発明の実施の形態に係る室内機の遮蔽板周辺をファンとは反対側から見た斜視図であり、当該遮蔽板周辺を下方から見た図である。
【図７】本発明の実施の形態に係る空気調和機の室内機の遮蔽板周辺をファン側から見た斜視図であり、遮蔽板への配線の固定方法を説明するための図である。
【図８】本発明の実施の形態に係る空気調和機の室内機の遮蔽板周辺をファン側から見た斜視図であり、遮蔽板への配線の固定方法を説明するための図である。
【発明を実施するための形態】
【００１２】
以下の実施の形態で、本発明に係る空気調和機の室内機の一例について、図面等を参照しながら説明する。なお、以下の各図面において、同一の符号を付した構成は、同一又はこれに相当する構成である。また、以下の実施の形態で記載されている各構成の形態は、あくまでも例示である。本発明に係る空気調和機の室内機は、以下の実施の形態で記載されている構成に限定されるものではない。また、以下では、図における上方を「上側」とし、下方を「下側」として説明する。また、以下の各図面では、各構成部材の大きさの関係が本発明を実施した実物とは異なる場合がある。
【００１３】
実施の形態．
図１は、本発明の実施の形態に係る室内機を備えた空気調和機の一例を示す冷媒回路図である。なお、図１に示す実線の矢印は、冷房運転時の冷媒の流れ方向を示している。また、図１に示す破線の矢印は、暖房運転時の冷媒の流れを示している。
空気調和機５００は、室内機１００と、室外機２００とを備えている。室内機１００と室外機２００とは、ガス冷媒配管３００及び液冷媒配管４００により配管接続されている。室内機１００は、室内熱交換器１１０を有している。室外機２００は、圧縮機２１０、四方弁２２０、室外熱交換器２３０及び膨張弁２４０を有している。
【００１４】
圧縮機２１０は、吸入した冷媒を圧縮して吐出する。ここで、特に限定するものではないが、圧縮機２１０は、例えばインバータ回路等によって運転周波数を任意に変化させることにより、圧縮機２１０の容量を変化させることができるようにしてもよい。なお、圧縮機２１０の容量とは、単位時間あたりの冷媒を送り出す量を表すものである。四方弁２２０は、例えば冷房運転時と暖房運転時とによって冷媒の流れを切り換える弁である。
【００１５】
室外熱交換器２３０は、冷媒と室外空気との熱交換を行う。室外熱交換器２３０は、暖房運転時においては蒸発器として機能し、冷媒を蒸発させて気化させる。また、室外熱交換器２３０は、冷房運転時においては凝縮器として機能し、冷媒を凝縮して液化させる。
【００１６】
膨張弁２４０は、例えば絞り装置等であり、冷媒を減圧して膨張させる。例えば、電子式膨張弁等で膨張弁２４０を構成した場合には、膨張弁２４０は、図示せぬ制御装置等の指示に基づいて開度調整が行われる。室内熱交換器１１０は、空調対象空間の空気と冷媒との熱交換を行う。室内熱交換器１１０は、暖房運転時においては凝縮器として機能し、冷媒を凝縮して液化させる。また、室内熱交換器１１０は、冷房運転時においては蒸発器として機能し、冷媒を蒸発させて気化させる。
【００１７】
すなわち、空気調和機５００の冷凍サイクル回路は、圧縮機２１０、四方弁２２０、室外熱交換器２３０、膨張弁２４０及び室内熱交換器１１０により構成されている。以上のように空気調和機５００を構成することで、室外機２００の四方弁２２０により冷媒の流れを切り換えることで、暖房運転及び冷房運転を実現することができる。
【００１８】
図２は、本発明の実施の形態に係る空気調和機の室内機を下方から見た斜視図である。図３は、本発明の実施の形態に係る空気調和機の室内機の縦断面図である。また、図４は、本発明の実施の形態に係る空気調和機の室内機の内部を該室内機の下方から見た斜視図である。換言すると、図４は、化粧パネル２が取り外された状態の室内機１００を下方から見た図となっている。なお、図３に示す先端黒塗りの矢印は、室内機１００内の空気の流れを示している。
【００１９】
本実施の形態に係る室内機１００は、４方向に空気を吹き出す４方向吹出型の室内機であり、部屋等の空調対象空間の天井に埋め込まれて、あるいは空調対象空間の天井に吊り下げられて設置されるものである。この室内機１００は、該室内機１００の外郭を構成する部品として、本体部１及び化粧パネル２を備えている。本体部１は、略直方体形状の箱体である。本体部１は、天井に設置された際に下面となる面に開口部が形成されている。化粧パネル２は、本体部１の開口部を覆うように、本体部１に取り付けられている。化粧パネル２には、略中央部に、吸込口２ａが形成されている。また、化粧パネル２には、吸込口２ａを囲むように、４つの吹出口２ｂが形成されている。
【００２０】
また、本体部１の内部には、吸込口２ａと対向する位置に、例えばターボファン等の遠心ファンであるファン３が設けられている。ファン３は、空調対象空間の空気を吸込口２ａから本体部１内に吸い込み、室内熱交換器１１０へ吹き出すものである。また、本体部１の内部には、ファン３を囲むように、室内熱交換器１１０が設けられている。室内熱交換器１１０は、該室内熱交換器１１０の内部に流れる冷媒と、ファン３によって本体部１内に吸い込まれた空調対象空間の空気とを、熱交換させるものである。
【００２１】
室内熱交換器１１０は、平面視において、吸込口２ａの外周側であり、吹出口２ｂの内周側となる位置に配置されている。このため、図３に先端黒塗りの矢印で示すように、ファン３が回転することによって、空調対象空間の空気は、吸込口２ａから本体部１内に吸い込まれ、室内熱交換器１１０に流入する構成となっている。また、室内熱交換器１１０に流入した空調対象空間の空気は、室内熱交換器１１０を通る際に該室内熱交換器１１０の内部を流れる冷媒と熱交換し、吹出口２ｂから空調対象空間へ吹き出される構成となっている。なお、室内熱交換器１１０が蒸発器として機能する際、空調対象空間の空気が室内熱交換器１１０で冷却されたときに露点温度に達し、室内熱交換器１１０に結露が発生する場合がある。そして、室内熱交換器１１０に付着している露が、室内熱交換器１１０から落下する場合がある。このため、室内熱交換器１１０の下方には、室内熱交換器１１０から落下した露を受ける露受け部品３０が設けられている。
【００２２】
また、本体部１の内部には、ファン３から吹き出された空気が室内熱交換器１１０を通過せずに吹出口２ｂから吹き出されることを防止するため、室内熱交換器１１０の両端部の間には、室内熱交換器１１０の両端部の間の隙間を塞ぐ遮蔽板１０が設けられている。
【００２３】
図５は、本発明の実施の形態に係る室内機の遮蔽板周辺をファン側から見た斜視図であり、当該遮蔽板周辺を下方から見た図である。また、図６は、本発明の実施の形態に係る室内機の遮蔽板周辺をファンとは反対側から見た斜視図であり、当該遮蔽板周辺を下方から見た図である。
室内熱交換器１１０は、冷媒が流れる冷媒配管１１１を備えている。また、本実施の形態では、室内熱交換器１１０は、フィンチューブ型の熱交換器となっている。このため、冷媒配管１１１には、複数の伝熱フィン１１２が接続されている。伝熱フィン１１２のそれぞれは、規定の間隔を空けて並べられている。
【００２４】
室内熱交換器１１０の冷媒配管１１１には、例えばサーミスタである温度センサ２０が設けられている。この温度センサ２０には、配線２１の一端が接続されている。配線２１の他端は、図示せぬ制御装置に接続されている。そして、図示せぬ制御装置は、温度センサ２０が検出する冷媒配管１１１の温度を冷媒配管１１１に流れる冷媒の温度として用い、空気調和機５００の冷凍サイクル回路の制御等を行う。
【００２５】
また、温度センサ２０は、遮蔽板１０を基準として、ファン３とは反対側に設けられている。換言すると、遮蔽板１０は、温度センサ２０とファン３との間に設けられている。このため、遮蔽板１０は、ファン３から温度センサ２０に向かって吹き出される空気の流れを遮る。これにより、ファン３から吹き出される空気が温度センサ２０に直接当たることを防止でき、温度センサ２０が冷媒配管１１１の温度を誤検出することを防止できる。
【００２６】
温度センサ２０に一端が接続された上述の配線２１は、本体部１内を引き回され、図示せぬ制御装置に接続される。また、配線２１は、遮蔽板１０を跨ぐように引き回されている。この際、配線２１における温度センサ２０と接続されている端部近傍の部分は、図５及び図６に示すように引き回されている。換言すると、遮蔽板１０を基準としてファン３とは反対側に配置されている配線２１の部分は、図５及び図６に示すように引き回されている。詳しくは、温度センサ２０と接続されている端部から制御装置と接続されている端部に向かって配線２１を観察していった際、遮蔽板１０を基準としてファン３とは反対側に配置されている配線２１の部分は、下方向へ延びた後に上方へ延びる箇所を有している。そして、下方向へ延びた後に上方へ延びる箇所は、図３で示した露受け部品３０の上方に配置されている。
【００２７】
上述のように、室内熱交換器１１０が蒸発器として機能する際、空調対象空間の空気が室内熱交換器１１０で冷却されたときに露点温度に達し、室内熱交換器１１０に結露が発生する場合がある。温度センサ２０も室内熱交換器１１０の冷媒配管１１１を流れる冷媒で冷却されるので、温度センサ２０にも結露が発生する場合がある。この際、温度センサ２０に付着した露が配線２１を伝って移動し、空調対象空間に落下することが懸念される。しかしながら、本実施の形態では、遮蔽板１０を基準としてファン３とは反対側に配置されている配線２１の部分は、下方向へ延びた後に上方へ延びる箇所を有している。そして、下方向へ延びた後に上方へ延びる箇所は、露受け部品３０の上方に配置されている。このため、温度センサ２０に付着した露が配線２１を伝って移動した際、この露は、下方向へ延びた後に上方へ延びる箇所から、露受け部品３０に落下する。したがって、本実施の形態に係る室内機１００は、温度センサ２０に付着した露が空調対象空間に落下することを防止できる。
【００２８】
また、配線２１の途中部は、遮蔽板１０を跨いだ後、遮蔽板１０に固定されている。本実施の形態に係る室内機１００においては、配線２１の途中部を遮蔽板１０に固定する際の配線２１の引き回し作業が容易となるように、遮蔽板１０を図５及び図６に示すように構成している。
【００２９】
詳しくは、遮蔽板１０は、板状の本体部１１を備えている。また、本体部１１は、第１側縁部１１ａ、第２側縁部１１ｂ、第３側縁部１１ｃ、及び第４側縁部１１ｄを備えている。第１側縁部１１ａは、配線２１が遮蔽板１０を跨ぐ際に対向する側縁部である。本実施の形態では、遮蔽板１０の上部側縁部が、第１側縁部１１ａとなっている。第２側縁部１１ｂは、第１側縁部１１ａの反対側の側縁部である。すなわち、本実施の形態では、遮蔽板１０の下部側縁部が、第２側縁部１１ｂとなる。
【００３０】
第３側縁部１１ｃ及び第４側縁部１１ｄは、第１側縁部１１ａの端部と第２側縁部１１ｂの端部とを接続する側縁部である。すなわち、本実施の形態では、左側側縁部又は右側側縁部のうちの一方が第３側縁部１１ｃとなり、左側側縁部又は右側側縁部のうちの他方が第４側縁部１１ｄとなる。上述のように、本実施の形態に係る遮蔽板１０は、室内熱交換器１１０の両端部の間の隙間を塞いでいる。このため、遮蔽板１０の第３側縁部１１ｃ及び第４側縁部１１ｄは、室内熱交換器１１０の両端部に、例えばネジ止めにより固定されている。
【００３１】
ここで、本実施の形態に係る遮蔽板１０においては、第１側縁部１１ａに、第２側縁部１１ｂに向かって凹むＶ字状の切り欠き１２が形成されている。また、本実施の形態では、第１側縁部１１ａには、少なくとも切り欠き１２が形成されている範囲に、密着曲げ加工が施されている。すなわち、切り欠き１２の縁には密着曲げ加工が施されている。密着曲げ加工とは、端部を約１８０°折り曲げて折り返す加工をいう。なお、本実施の形態では、Ｖ字形状の谷部部分等の一部が曲線形状となっている場合でも、谷部に向かうにしたがって第２側縁部１１ｂ側に近づいていれば、Ｖ字状と称することとする。
【００３２】
また、本実施の形態に係る遮蔽板１０においては、本体部１１は、第１側縁部１１ａの切り欠き１２と第２側縁部１１ｂとの間に、配線２１を固定するクランプ１３を備えている。クランプ１３の数は特に限定されないが、本実施の形態に係る本体部１１は、２つのクランプ１３を備えている。このクランプ１３は、取付部１３ａ及び固定部１３ｂを備えている。取付部１３ａは、本体部１１に取り付けられる箇所である。本実施の形態では、スポット溶接等により、クランプ１３の取付部１３ａが本体部１１に取り付けられている。固定部１３ｂは、配線２１を固定する部分である。固定部１３ｂは、可撓性を有する材料で形成されている。固定部１３ｂを折り曲げて、配線２１を挟み込むことにより、配線２１はクランプ１３に固定される。なお、図５及び図６は、固定部１３ｂを折り曲げる前の状態を示している。また、固定部１３ｂの当該構成は、あくまでも一例である。固定部１３ｂの構成は、配線２１を固定することができれば、当該構成に限定されない。
【００３３】
また、本実施の形態では、第１側縁部１１ａが延びる方向において、固定部１３ｂは、切り欠き１２の幅の中に配置されている。図５を用いて具体的に説明すると、第１側縁部１１ａは左右方向に延びている。固定部１３ｂの左側端部は、切り欠き１２の左側端部よりも右側に配置されている。また、固定部１３ｂの右側端部は、切り欠き１２の右側端部よりも左側に配置されている。
【００３４】
上述のように構成された遮蔽板１０は、本体部１に例えばネジ止め等によって取り付けられている。すなわち、本実施の形態では、本体部１が、遮蔽板１０が取り付けられる被取付部材となっている。具体的には、遮蔽板１０は、第１側縁部１１ａから突出する足部１４を備えている。本実施の形態では、遮蔽板１０は、２つの足部１４を備えている。足部１４は、第１側縁部１１ａの切り欠き１２が形成されていない範囲から突出している。そして、足部１４が例えばネジ止め等によって本体部１に取り付けられることにより、遮蔽板１０が本体部１に取り付けられることとなる。なお、第１側縁部１１ａと足部１４との間に形成される隙間１５は、配線２１の直径よりも小さいことが好ましい。後述のように、配線２１の引き回し作業がさらに容易となる。
【００３５】
続いて、遮蔽板１０への配線２１の固定方法について説明する。
【００３６】
図７及び図８は、本発明の実施の形態に係る空気調和機の室内機の遮蔽板周辺をファン側から見た斜視図であり、遮蔽板への配線の固定方法を説明するための図である。
まず、図７に示すように、ファン３とは反対側からファン３側へ向かって、遮蔽板１０の上方に配線２１を引き回す。そして、遮蔽板１０の第１側縁部１１ａの切り欠き１２の縁に、配線２１を引っ掛ける。
【００３７】
ここで、本実施の形態では、第１側縁部１１ａが延びる方向において、クランプ１３の固定部１３ｂは、切り欠き１２の幅の中に配置されている。このように切り欠き１２の幅を大きく確保することにより、配線２１に切り欠き１２の縁に引っ掛けることが容易となり、配線２１の引き回し作業の容易性を向上させることができる。また、第１側縁部１１ａと足部１４との間に形成される隙間１５を配線２１の直径よりも小さくすることにより、第１側縁部１１ａの切り欠き１２の縁に配線２１を引っ掛ける際、第１側縁部１１ａと足部１４との間に配線２１が入り込んでしまうことを防止できる。このため、第１側縁部１１ａと足部１４との間に形成される隙間１５を配線２１の直径よりも小さくすることによっても、配線２１の引き回し作業の容易性を向上させることができる。
【００３８】
第１側縁部１１ａの切り欠き１２の縁に配線２１を引っ掛けた後、図８に示すように、遮蔽板１０よりもファン３側の配線２１を、第２側縁部１１ｂに向かって引っ張る。これにより、配線２１は、切り欠き１２の縁に沿ってＶ字形状の谷の方へ移動し、クランプ１３の位置へ誘導される。より詳しくは、配線２１は、切り欠き１２の縁に沿ってＶ字形状の谷の方へ移動し、クランプ１３の固定部１３ｂの位置へ誘導される。最後に、クランプ１３の固定部１３ｂを折り曲げることにより、配線２１の途中部はクランプ１３に固定される。このように、本実施の形態に係る室内機１００においては、配線２１を第２側縁部１１ｂに向かって引っ張ることにより、配線２１がクランプ１３の位置へ誘導される。このため、本実施の形態に係る室内機１００は、配線２１の途中部を遮蔽板１０に固定する際の配線２１の引き回し作業を、従来よりも容易に行うことができる。
【００３９】
ここで、本実施の形態では、切り欠き１２に縁に密着曲げ加工が施されている。このため、配線２１を第２側縁部１１ｂに向かって引っ張る際、配線２１が損傷することを防止できる。このため、配線２１を第２側縁部１１ｂに向かって引っ張る作業がより容易となり、配線２１の引き回し作業の容易性を向上させることができる。
【００４０】
以上、本実施の形態に係る室内機１００は、冷媒が流れる冷媒配管１１１を有する室内熱交換器１１０と、冷媒配管１１１に設けられた温度センサ２０と、室内熱交換器１１０に空気を吹き出すファン３と、温度センサ２０とファン３との間に設けられ、ファン３から温度センサ２０に向かって吹き出される空気の流れを遮る遮蔽板１０と、を備えている。遮蔽板１０は、第１側縁部１１ａと該第１側縁部１１ａの反対側の側縁部である第２側縁部１１ｂとを有する板状の本体部１１を備えている。第１側縁部１１ａには、第２側縁部１１ｂに向かって凹むＶ字状の切り欠き１２が形成されている。また、本体部１１は、第１側縁部１１ａの切り欠き１２と第２側縁部１１ｂとの間に、温度センサ２０に接続された配線２１を固定するクランプ１３を備えている。
【００４１】
本実施の形態に係る室内機１００においては、配線２１を第１側縁部１１ａのＶ字状の切り欠き１２の縁に引っ掛け、該配線２１を第２側縁部１１ｂに向かって引っ張る。これにより、配線２１は、切り欠き１２の縁に沿ってＶ字形状の谷の方へ移動し、クランプ１３の位置へ誘導される。このため、本実施の形態に係る室内機１００は、温度センサに接続されている配線２１の途中部をクランプ１３に容易に固定することができ、配線２１の途中部を遮蔽板１０に固定する際の配線２１の引き回し作業を従来よりも容易に行うことができる。
【符号の説明】
【００４２】
１  本体部、２  化粧パネル、２ａ  吸込口、２ｂ  吹出口、３  ファン、１０  遮蔽板、１１  本体部、１１ａ  第１側縁部、１１ｂ  第２側縁部、１１ｃ  第３側縁部、１１ｄ  第４側縁部、１２  切り欠き、１３  クランプ、１３ａ  取付部、１３ｂ  固定部、１４  足部、１５  隙間、２０  温度センサ、２１  配線、３０  露受け部品、１００  室内機、１１０  室内熱交換器、１１１  冷媒配管、１１２  伝熱フィン、２００  室外機、２１０  圧縮機、２２０  四方弁、２３０  室外熱交換器、２４０  膨張弁、３００  ガス冷媒配管、４００  液冷媒配管、５００  空気調和機。
【図１】
2020095342.tif 000003
【図２】
2020095342.tif 000004
【図３】
2020095342.tif 000005
【図４】
2020095342.tif 000006
【図５】
2020095342.tif 000007
【図６】
2020095342.tif 000008
【図７】
2020095342.tif 000009
【図８】
2020095342.tif 000010
【手続補正書】
【提出日】令和2年11月24日(2020.11.24)
【手続補正１】
【補正対象書類名】明細書
【補正対象項目名】０００９
【補正方法】変更
【補正の内容】
【０００９】
本発明に係る空気調和機の室内機は、冷媒が流れる冷媒配管を有する室内熱交換器と、前記冷媒配管に設けられた温度センサと、前記室内熱交換器に空気を吹き出すファンと、前記温度センサと前記ファンとの間に設けられ、前記ファンから前記温度センサに向かって吹き出される空気の流れを遮る遮蔽板と、を備え、前記遮蔽板は、第１側縁部と該第１側縁部の反対側の側縁部である第２側縁部とを有する板状の本体部を備え、前記第１側縁部には、前記第２側縁部に向かって凹むＶ字状の切り欠きが形成されており、前記本体部には、前記第１側縁部の前記切り欠きと前記第２側縁部との間に、前記温度センサに接続され前記切り欠きを跨いで引き回される配線を固定するクランプが、前記切り欠きのＶ字状の谷部の前記第２側縁部に向かう延長線上に設けられている。
【手続補正２】
【補正対象書類名】特許請求の範囲
【補正対象項目名】全文
【補正方法】変更
【補正の内容】
【特許請求の範囲】
【請求項１】
冷媒が流れる冷媒配管を有する室内熱交換器と、
前記冷媒配管に設けられた温度センサと、
前記室内熱交換器に空気を吹き出すファンと、
前記温度センサと前記ファンとの間に設けられ、前記ファンから前記温度センサに向かって吹き出される空気の流れを遮る遮蔽板と、
を備え、
前記遮蔽板は、第１側縁部と該第１側縁部の反対側の側縁部である第２側縁部とを有する板状の本体部を備え、
前記第１側縁部には、前記第２側縁部に向かって凹むＶ字状の切り欠きが形成されており、
前記本体部には、前記第１側縁部の前記切り欠きと前記第２側縁部との間に、前記温度センサに接続され前記切り欠きを跨いで引き回される配線を固定するクランプが、前記切り欠きのＶ字状の谷部の前記第２側縁部に向かう延長線上に設けられている
空気調和機の室内機。
【請求項２】
前記切り欠きの縁に密着曲げ加工が施されている
請求項１に記載の空気調和機の室内機。
【請求項３】
前記第１側縁部が延びる方向において、
前記クランプの前記配線を固定する部分である固定部は、前記切り欠きの幅の中に配置されている
請求項１又は請求項２に記載の空気調和機の室内機。
【請求項４】
前記遮蔽板が取り付けられる被取付部材を備え、
前記遮蔽板は、前記第１側縁部から突出し、前記被取付部材に取り付けられる足部を備え、
前記第１側縁部と前記足部との間に形成される隙間は、前記配線の直径よりも小さい
請求項１〜請求項３のいずれか一項に記載の空気調和機の室内機。
【国際調査報告】
2020095342.tif 000011
2020095342.tif 000012
2020095342.tif 000013
2020095342.tif 000014